(57)【要約】【課題】所望により、フラワーショーケースから活け水である電解生成酸性水を簡単に注出して、当該フラワーショーケースの活け水とは別途の使用や、切り花の購入者にサービスとして提供する。【解決手段】当該フラワーショーケースは、当該フラワーショーケースから活け水である電解生成酸性水を注出することができるオプション仕様の活け水注出装置６０を備え、当該活け水注出装置６０は、当該フラワーショーケースにおける電解生成酸性水の給水管路５２に接続された状態で、当該フラワーショーケースを構成するケース本体における注出操作可能な部位に配設されるものである。【選択図】    図１
2013172906.tif 000002
【特許請求の範囲】
【請求項１】
切り花用の活け水を収容する水槽を階段状に複数段備えるとともに、活け水の水源としての電解水生成装置を備え、前記電解水生成装置の電解運転により生成された電解生成酸性水を活け水として上段側の水槽内に給水し、同水槽内に給水された活け水を一定の水位に保持しつつ次段の下段側の水槽内にオーバーフローさせて同下段側の水槽内に給水する切り花展示用フラワーショーケースであり、
当該フラワーショーケースは、当該フラワーショーケースから活け水である電解生成酸性水を注出することができるオプション仕様の活け水注出装置を備え、
当該活け水注出装置は、当該フラワーショーケースを構成する電解生成酸性水の給水管路に接続された状態で、当該フラワーショーケースを構成するケース本体における注出操作可能な部位に配設されるものであることを特徴とする切り花展示用フラワーショーケース。
【請求項２】
請求項１に記載の切り花展示用フラワーショーケースにおいて、
当該活け水注出装置は、電磁式の三方弁と、前記三方弁の流入ポートに接続された流入管路と、前記三方弁の流出ポートに接続された流出管路と、前記三方弁の吐出ポートに接続された注出管路と、前記三方弁を収容する収容ケースと、前記三方弁の流路を切替動作させる注出スイッチを備え、
前記注出管路の先端部は前記収容ケースの前側壁を貫通して注出口部として露呈するとともに、前記注出スイッチは前記収容ケースの前記前側壁に取付けられて同前側壁の前面に露呈して同前側壁の前面を操作パネルに形成し、
一方、当該フラワーショーケースを構成する前記給水管路は、前記三方弁に対して流入側となる流入管路と流出側となる流出管路に分割されていて、
当該活け水注出装置を構成する前記流入管路および前記流出管路が当該フラワーショーケースの前記流入管路および前記流出管路に接続されて、前記収容ケースが当該フラワーショーケースを構成するケース本体における注出操作可能な部位に配設されることを特徴とする切り花展示用フラワーショーケース。
【請求項３】
請求項１に記載の切り花展示用フラワーショーケースにおいて、
当該活け水注出装置は、注出管路と、前記注出管路を貫通させて支持する支持ケースと、電磁式の三方弁の流路を切替動作させる注出スイッチを備え、
前記注出管路の先端部は前記支持ケースの前側壁を貫通していて注出口部として露呈するとともに、前記注出スイッチは前記支持ケースの前記前側壁に取付けられて同前側壁の前面の露呈して同前側壁の前面を操作パネルに形成し、
一方、当該フラワーショーケースを構成する前記給水管路は、同給水管路の途中に前記三方弁を介して接続された流出管路を備えていて、
当該活け水注出装置を構成する前記注出管路が当該フラワーショーケースの前記流出管路に接続されて、前記支持ケースが当該フラワーショーケースを構成するケース本体における注出操作可能な部位に配設されることを特徴とする切り花展示用フラワーショーケース。
【請求項４】
請求項２または３に記載の切り花展示用フラワーショーケースにおいて、
当該活け水注出装置を構成する前記収容ケースまたは支持ケースは、当該フラワーショーケースの設置後の店舗のレイアウトを考慮して、当該フラワーショーケースの右前面下部、左前面下部、右背面下部、左背面下部のいずれかに選択的に取付けられて、
前記収容ケースの前面が注出操作部として露呈して、前記注出スイッチがスイッチ操作可能になっていることを特徴とす切り花展示用フラワーショーケース。
【請求項５】
請求項２〜４のいずれか一項に記載の切り花展示用フラワーショーケースにおいて、
当該活け水注出装置を構成する注出スイッチは、スイッチ操作中、活け水である電解生成酸性水を注出するもので、前記三方弁の流路を切替動作させ、かつ、前記電解水生成装置の電解運転を開始すべく機能するものであることを特徴とする切り花展示用フラワーショーケース。
【請求項６】
請求項２〜４のいずれか一項に記載の切り花展示用フラワーショーケースにおいて、
当該活け水注出装置は、当該フラワーショーケースのケース本体に配設した状態では、当該活け水注出装置を構成する注出管路の注出口部はキャップにて覆蓋され、前記注出スイッチは誤作動防止用カバーにて覆蓋されることを特徴とする切り花展示用フラワーショーケース。
【発明の詳細な説明】
【技術分野】
【０００１】
本発明は、切り花展示用フラワーショーケースに関する。
【背景技術】
【０００２】
切り花展示用フラワーショーケースの一形式として、切り花用の活け水を収容する水槽を階段状に複数段備え、活け水用の水源から活け水を上段側の水槽内に給水するとともに、同上段側の水槽内に給水された活け水を一定の水位に保持しつつ次段の下段側の水槽内にオーバーフローさせて同下段側の水槽内に給水する形式の切り花展示用フラワーショーケースがある（特許文献１，２を参照）。
【０００３】
当該形式の切り花展示用フラワーショーケースにおいては、水槽内の活け水に直接活けられた切り花や、水槽内に収容した花桶の活け水に活けられた切り花等の鮮度を保って、切り花を、可能なかぎり、長期間の展示に耐えるようにすることが要請される。
【０００４】
ところで、当該形式のフラワーショーケースにおいては、活け水として、通常の水道水や、通常の水道水に延命剤（例えばクリザール：商品名）を添加した水を使用しているのが一般である。しかしながら、このような活け水には、除菌作用が皆無か極めて低いため、当該活け水を収容する水槽内や花桶の内外に水垢やカビ等が早期に発生するおそれがある。
【０００５】
このため、当該フラワーショーケースでは、水槽内や花桶内の活け水を、高い頻度で、定期的に入れ替えるとともに、新たな活け水を水槽内に給水するに先立って、水槽内の水垢やカビ等をブラシで除去するとともに水槽内を水洗浄し、また、切り花を水槽内に収容した花桶に活ける場合にあっては、使用した花桶の内外の水垢やカビ等をもブラシで除去するとともに水洗浄しているのが実状である。切り花を展示する作業者にとっては、水垢やカビ等をブラシで除去する作業を伴う水槽や花桶の洗浄作業は、非常に面倒で、しかも時間を要する作業である。
【０００６】
上記した特許文献１にて提案されているフラワーショーケースにおいては、各水槽内の活け水を循環させる特別の循環管路を形成するとともに、当該循環管路の途中に活性化装置を介装して、当該活性化装置内で、循環する活け水の水分子クラスターを細分して活性化し、活性化された活け水を各水槽内に循環供給する手段を採っている。但し、水分子クラスターを細分化された活け水が、水槽内の切り花の鮮度にどの程度の効果を発揮するのかについては、明確にされてはいない。
【０００７】
一方、切り花の鮮度を保持する手段として、電解水生成装置にて生成される電解生成酸性水を活け水として採用することが提案されている（特許文献３を参照）。当該電解生成酸性水は、殺菌作用が高いため、水槽内での水垢やカビ等の発生を大きく抑制して、切り花の鮮度を長期間保持すべく機能する。使用される電解生成酸性水としては、好ましくは、ｐＨが３以下という強酸性の電解生成酸性水が推奨されている。
【０００８】
本出願人は、上記した特許文献３にて、切り花用の活け水として推奨されている電解生成酸性水に着目して、当該形式のフラワーショーケースに、電解生成酸性水を生成するための電解水生成装置を装備したフラワーショーケースを開発している。
【０００９】
当該電解水生成装置を装備するフラワーショーケースにおいては、電解水生成装置を活け水の水源として機能させて、当該電解水生成装置の電解運転で生成される電解生成酸性水を活け水として、水槽内に給水するように構成されている。このため、活け水である電解生成酸性水の殺菌作用や除菌作用によって、水槽内や花桶の内外での水垢やカビ等の発生を大幅に抑制し得て、水槽内や花桶内の活け水を長時間新鮮に保持することができる。このため、当該フラワーショーケースにおいては、当該活け水が収容されている水槽内や花桶内に活けられている切り花は、当該活け水に殺菌作用や除菌作用が残存している限りにおいては、その鮮度が長時間保持されることになる。
【先行技術文献】
【特許文献】
【００１０】
【特許文献１】特開２００５−１２５０４９号公報
【特許文献２】特開２００１−３４６６６８号公報
【特許文献３】特許第３０７８７９１号公報
【発明の概要】
【発明が解決しようとする課題】
【００１１】
ところで、当該フラワーショーケースを使用して切り花を展示する者、すなわち、当該フラワーショーケースの使用者は、活け水である電解生成酸性水を当該フラワーショーケースから、別の水槽、花桶、バケツ等に採取して、当該フラワーショーケースとは別途に利用したい場合がある。また、当該フラワーショーケースの使用者は、展示されている切り花の購入者に対しては、活け水である電解生成酸性水をサービスで提供したい場合がある。
【００１２】
これらの場合、現状では、水槽内に収容されている活け水を手桶で汲み上げることになるが、切り花が活けらている水槽や、切り花が活けらている花桶が収容されている水槽内から活け水を汲み上げる作業は面倒であり、特に大量の活け水を複数の水槽内から汲み上げる作業は一層面倒である。また、所望量の活け水を汲み上げた後には、水槽内に減量した活け水を補うべく、改めて、電解水生成装置の電解運転を開始して所定時間電解運転し、その後に、再度、当該水槽内や花桶内に切り花を活けなければならないという問題がある。
【００１３】
本発明の目的は、活け水である電解生成酸性水を、当該フラワーショーケースから簡単に注出して、当該フラワーショーケースとは別途の利用や、切り花の購入者にサービスとして提供し得るようにすることにある。
【課題を解決するための手段】
【００１４】
本発明は、切り花展示用フラワーショーケースに関する。本発明が適用対象とするフラワーショーケースは、切り花用の活け水を収容する水槽を階段状に複数段備えるとともに、活け水の水源としての電解水生成装置を備え、前記電解水生成装置の電解運転により生成された電解生成酸性水を活け水として上段側の水槽内に給水し、同水槽内に給水された活け水を一定の水位に保持しつつ次段の下段側の水槽内にオーバーフローさせて同下段側の水槽内に給水する形式の切り花展示用フラワーショーケースである。
【００１５】
しかして、本発明に係る切り花展示用フラワーショーケースにおいては、当該フラワーショーケースから、活け水である電解生成酸性水を注出することができるオプション仕様の活け水注出装置を備え、当該活け水注出装置は、当該フラワーショーケースを構成する電解生成酸性水の給水管路に接続された状態で、当該フラワーショーケースにおける注出操作可能な部位に配設されるものであることを特徴とするものである。
【００１６】
本発明に係る切り花展示用フラワーショーケースにおいては、当該活け水注出装置を、電磁式の三方弁と、前記流路切替弁の流入ポートに接続された流入管路と、前記流路切替弁の流出ポートに接続された流出管路と、前記三方弁の吐出ポートに接続された注出管路と、前記三方弁を収容する支持する収容ケースと、前記三方弁の流路を切替動作させる注出スイッチを備えた構成とし、前記注出管路の先端部を前記収容ケースの前側壁を貫通させて注出口部として露呈させ、前記注出スイッチを前記収容ケースの前側壁に取付けて同前側壁の前面の露呈させて同前側壁の前面を操作パネルに形成する構成を採ることができる。
【００１７】
当該活け水注出装置を当該フラワーショーケースに取付けるには、当該フラワーショーケースを構成する前記給水管路として、前記三方弁に対して流入側となる流入管路と流出側となる流出管路に分割された給水管路を採用して、当該活け水注出装置を構成する前記流入管路および前記流出管路を、当該フラワーショーケースの前記流入管路および前記流出管路に接続し、前記収容ケースを当該フラワーショーケースを構成するケース本体における注出操作可能な部位に配設するようにすることができる。
【００１８】
また、本発明に係る切り花展示用フラワーショーケースにおいては、当該活け水注出装置を、注出管路と、前記注出管路を貫通させて支持する支持ケースと、電磁式の三方弁の流路を切替動作させる注出スイッチを備える構成として、前記注出管路の先端部を前記支持ケースの前側壁を貫通させて注出口部として露呈するとともに、前記注出スイッチを前記支持ケースの前記前側壁に取付けられて同前側壁の前面の露呈して同前側壁の前面を操作パネルに形成する構成を採りことができる。
【００１９】
当該活け水注出装置を当該フラワーショーケースに取付けるには、当該フラワーショーケースを構成する前記給水管路として、同給水管路の途中に三方弁を介して接続された流出管路を備えた給水管路を採用して、当該活け水注出装置を構成する前記注出管路を、当該フラワーショーケースの前記流出管路に接続して、前記支持ケースが当該フラワーショーケースを構成するケース本体における注出操作可能な部位に配設するようにすることができる。
【００２０】
本発明に係るフラワーショーケースにおいては、当該活け水注出装置を構成する前記収容ケースまたは前記支持ケースを、当該フラワーショーケースの設置後の店舗のレイアウトを考慮して、当該フラワーショーケースの右前面下部、左前面下部、右背面下部、左背面下部のいずれかに選択的に取付けるようにすることができる。
【００２１】
また、本発明に係るフラワーショーケースにおいては、当該活け水注出装置を構成する注出スイッチを、前記三方弁を流路切替動作させ、かつ、前記電解水生成装置の電解運転を開始すべく機能するようにするおとができる。
【００２２】
また、本発明に係る切り花展示用フラワーショーケースにおいては、当該活け水注出装置を当該フラワーショーケースのケース本体に配設した状態では、当該活け水注出装置を構成する注出管路の注出口部をキャップにて覆蓋し、前記注出スイッチを誤作動防止用カバーにて覆蓋するようにすることができる。
【発明の効果】
【００２３】
本発明に係る切り花展示用フラワーショーケースにおいては、所望により、オプション仕様の活け水注出装置を装備させることができる。当該活け水注出装置は、当該フラワーショーケースの設置後の店舗のレイアウトを考慮して、当該フラワーショーケースのケース本体の右前面下部、左前面下部、右背面下部、左背面下部等、当該フラワーショーケースの使用者の使い勝手のよい部位に配設することができる。
【００２４】
これにより、当該フラワーショーケースの使用者は、所望により、活け水注出装置を使用して、活け水である電解生成酸性水を容易に注出することができて、注出した電解生成酸性水を、当該フラワーショーケースとは別途の利用に供し、また、切り花の購入者にサービスとして提供することができる。
【００２５】
本発明で規定するオプション仕様の活け水注出装置は、当該フラワーショーケースが装備する活け水である電解生成酸性水の給水管路から注出するものであり、水槽内の活け水を汲み上げるという面倒な作業は不要であり、また、活け水を汲み上げた後の、水槽内の減量した活け水を補足すべく、改めて電解運転することも不要であり、また、水槽内の活け水を補足した後に切り花を活け直す作業も不要である。
【図面の簡単な説明】
【００２６】
【図１】本発明の一実施形態に係るフラワーショーケースの正面図である。
【図２】当該フラワーショーケースの左側面図である。
【図３】当該フラワーショーケースを構成するフレーム構造体の正面側の左斜め上方からみた斜視図である。
【図４】当該フレーム構造体を構成する左側フレームおよびブラケットの斜視図（ａ）、および、右側フレームおよびブラケットの斜視図（ｂ）である。
【図５】花桶を収容した水槽を縦断しサイドパネルを取り外した状態の当該フラワーショーケースの左側面図である。
【図６】当該フラワーショーケースの水系回路を主として示す概略構成図である。
【図７】一実施形態の活け水注出装置を取付ける場合の当該フラワーショーケースの水系回路を主として示す図６に対応する概略構成図である。
【図８】他の実施形態の活け水注出装置を取付ける場合の当該フラワーショーケースの水系回路を主として示す図６、図７に対応する概略構成図である。
【図９】当該フラワーショーケースを構成する水槽を正面側の左斜め上方からみた斜視図である。
【図１０】当該フラワーショーケースにおける図９の１０−１０線に沿って切断した縦断面図である。
【図１１】当該フラワーショーケースに使用する花桶の正面図（ａ）、側面図（ｂ）、および、縦断側面図である。
【図１２】当該フラワーショーケース用のオプション仕様の活け水注出装置の左斜め上方からみた斜視図である。
【図１３】活け水注出装置の一実施形態を示す正面図（ａ）、右側面図（ｂ）、背面図（ｃ）、同図（ｂ）の矢印ｄ−ｄ線に沿って切断した横断面図（ｄ）、および、同図（ｂ）の矢印ｅで示す部位を拡大して示す側面図（ｅ）である。
【図１４】当該フラワーショーケースにおける照明機器の配設部位を示す正面側の左斜め下方からみた縦断斜視図（ａ）、および、同照明機器を構成する蛍光灯カバーの取付状態および取外状態を示す説明する概略図（ｂ）である。
【図１５】当該フラワーショーケースにおける蛍光灯安定器の配設部位を示す正面側の右斜め下方からみた斜視図である。
【図１６】当該フラワーショーケースにおけるフロントパネルの開閉機構を示す側面図（ａ）、および、当該開閉機構を構成するフックの側面図（ｂ）である。である。
【図１７】当該フラワーショーケースを構成する上下の水槽を重合して配置した状態の一部を縦断した左側面図である。
【発明を実施するための形態】
【００２７】
本発明は、切り花展示用フラワーショーケースに関する。本発明に係る切り花展示用フラワーショーケースは、切り花用の活け水を収容する水槽を階段状に複数段備えるとともに、電解生成酸性水を活け水として各水槽内に給水する電解水生成装置を備えるものである。本発明に係るフラワーショーケースは、切り花用の活け水として電解生成酸性水を採用するものであり、その最大の特徴はオプション仕様の活け水注出装置を備え、当該活け水注出装置を当該フラワーショーケースの設置後に、店舗のレイアウトを考慮して、ケース本体の右前面下部、左前面下部、右背面下部、左背面下部等、当該フラワーショーケースの使用者の使い勝手のよい部位に配設し得るようにしていることにある。
【００２８】
図１は、本発明の一実施形態に係るフラワーショーケースの正面図、図２は、当該フラワーショーケースの側面図、図３は、当該フラワーショーケースを構成するフレーム構造体の正面側の左斜め上方からみた斜視図である。
【００２９】
当該フラワーショーケースは、図３に示すフレーム構造体１０の各ベースフレームに、図７および図８に示す、切り花用の活け水を収容する水槽２０を左右一対、並列配置した状態で、３階段に配置しているものである。当該フレーム構造体１０における水槽２０（２０ａ，２０ｂ）の配設部位である階段の下方の空間部は、機械室となっている。当該機械室には、活け水の水源である電解水生成装置、当該電解水生成装置の電解運転に要する駆動装置、その他の機器類が配設されている。
【００３０】
図６には、フレーム構造体１０に配置した各水槽２０（２０ａ，２０ｂ）と、活け水を各水槽２０に給水するための水系回路との関係を概略的に示している。なお、図６に示す概略構成図では、便宜上、各ベースフレームの左側に配置される水槽を水槽２０ａと、右側に配置される水槽を水槽２０ｂと表示して、並列配置される両水槽を区別している。但し、両水槽２０ａ，２０ｂは、オーバーフローパイプ２１の設置位置を除き、基本的には同一構成である。このため、これらの水槽を区別して説明する必要がない場合には、これらを単に水槽２０として説明する。
【００３１】
当該フラワーショーケースを構成するフレーム構造体１０は、図３に示すように、水槽２０を配置するためのベースフレームを階段状に３段備えている。フレーム構造体１０は、方形の下側枠部１１の後側部位にて起立する上下方向に長尺の後側柱状枠部１２と、下側枠部１１の前側部位にて起立する上下方向に短尺の前側柱状枠部１３を一体とする枠体で、後側柱状枠部１２の中間部には、左右の各支柱部１２ａ，１２ｂを互いに連結する連結フレーム１４ａが組付けられ、また、左右の各支柱部１２ａ，１２ｂの頂部に設けた前方へ延びる腕部には、各腕部を互いに連結する天板１４ｂが組付けられている。
【００３２】
一方、各柱状枠部１２，１３間には、左右一対のサイドフレーム１５ａ，１５ｂがそれぞれ組付けられている。各サイドフレーム１５ａ，１５ｂは、その後端部を後側柱状枠部１２を構成する左右の支柱部１２ａ，１２ｂの中間部に組付けられ、かつ、その前端部を前側柱状枠部１３を構成する左右の支柱部１３ａ，１３ｂの上端部に組付けられている。かかる組付構造により、各サイドフレーム１５ａ，１５ｂは、後側柱状枠部１２から前側柱状枠部１３に向かって前方へ下降傾斜する傾斜フレームとなっている。各サイドフレーム１５ａ，１５ｂには、それらの内面側に、ブラケット１６ａ，１６ｂが３段階に組付けられている。
【００３３】
各ブラケット１６ａ，１６ｂは、図４に示すように、互いに左右対称の形状を呈するもので、各サイドフレーム１５ａ，１５ｂには、互いに対向して組付けられている。各ブラケット１６ａ，１６ｂには、各ベースフレーム１７（１７ａ，１７ｂ、１７ｃ）が組付けられる。各ブラケット１６ａ，１６ｂは、組付けられた各ベースフレーム１７を水平状に支持して階段状の段部を形成する。
【００３４】
各ベースフレーム１７が形成する各段部には、左右一対の水槽２０（２０ａ，２０ｂ）が並列配置した状態で、３階段に配置される。図６には、左右一対の水槽２０を並列配置した状態を示し、図５には、このように配置した各水槽２０に、花桶３０を収容した状態のフラワーショーケースを示している。  当該フラワーショーケースにおいては、フレーム構造体１０を構成する各サイドフレーム１５ａ，１５ｂおよび各ベースフレーム１７より下方の空間部（階段の下方の空間部）は機械室になっており、また、当該階段より上方の空間部は切り花展示用の空間部となっている。
【００３５】
当該フラワーショーケースにおいては、当該機械室の側部は、図１、図２および図５に示すように、サイドパネル１８ａにて覆蓋されており、また、サイドパネル１８ａより上方の側部は透明なサイドガラス１８ｂにて覆蓋されている。また、当該機械室の前側は、フロントパネル１８ｃにて覆蓋されている。本実施形態では、サイドガラス１８ｂとして透明なガラスを採用していて、当該フラワーショーケースの側方からも、展示されている切り花を視認することができるようになっている。
【００３６】
フレーム構造体１０の各段部に配置する各水槽２０は、上段と下段に配置する水槽２０は同一構成のもであり、中段に配置する水槽２０とは、オーバーフローパイプ２１の配設位置を異にするものである。図９および図１０には、上段および下段に配置される水槽２０（２０ａ，２０ｂ）を示している。
【００３７】
当該水槽２０は、図９および図１０に示すように、上方が開口する長方形状を呈する函体２２であって、函体２２を構成する周壁の内部には多数のリブが立設されている。各リブは、函体２２の内部に、花桶３０を収容する左右一対の収容空間部２２ａ1，２２ａ2を形成している。また、各リブは、函体２２の内部における各収容空間部２２ａ1，２２ａ2の後方の部位に、函体２２の内部に給水される活け水を受水する左右一対の受水空間部２２ｂ1，２２ｂ2を形成している。さらには、函体２２の内部における各収容空間部２２ａ1，２２ａ2の前側の底部には、オーバーフローパイプ２１を立設するための取付孔部２２ｃが形成されている。オーバーフローパイプ２１は、これらの取付孔部２２ｃ1，２２ｃ2に対して選択的に取付けられ、オーバーフローパイプ２１が取付けられない方の取付孔部２２ｃ1，２２ｃ2は閉塞される。
【００３８】
本実施形態では、上段、中段、下段の各水槽２０のうち、上段および下段の各水槽２０においては、図示左側の取付孔部２２ｃ1にオーバーフローパイプ２１が取付けられており、中段の水槽２０においては、図示右側の取付孔部２２ｃ2にオーバーフローパイプ２１が取付けられている。各水槽２０には、各収容空間部２２ａ1，２２ａ2に、花桶３０がそれぞれ収容される。当該フラワーショーケースで使用している花桶３０は、図１１に示すように、特殊な形状および構造をしている。
【００３９】
各水槽２０をフレーム構造体１０の各ベースフレームに、図６に示すように配置するには、先ず、各水槽２０ａ，２０ｂを下段のベースフレーム１７ｃ上に配置し、次いで、各水槽２０ａ，２０ｂを中段のベースフレーム１７ｂ上に配置し、最後に、各水槽２０ａ，２０ｂを上段のベースフレーム１７ａ上に配置する。
【００４０】
この場合、各水槽２０ａ，２０ｂを中段のベースフレーム１７ｂ上に配置するには、配置すべき各水槽２０ａ，２０ｂの前側壁２２ｄの下端部２２ｄ1を、下段の各水槽２０ａ，２０ｂの後端壁２２ｅの上端部２２ｅ1に重合した状態で、中段のベースフレーム１７ｂ上に載置する。また、各水槽２０ａ，２０ｂを上段のベースフレーム１７ａ上に配置するには、これと同様、配置すべき各水槽２０ａ，２０ｂの前側壁２２ｄの下端部２２ｄ1を、中段の各水槽２０ａ，２０ｂの後端壁２２ｅの上端部２２ｅ1に重合した状態で、上段のベースフレーム１７ａ上に載置する。図５には、各水槽２０ａ，２０ｂを各ベースフレーム１７ａ，１７ｂ，１７ｃ上にこのように配置して構成したフラワーショーケースであって、各水槽２０ａ，２０ｂ内に、花桶３０をそれぞれ収容した状態のフラワーショーケースを示している。
【００４１】
当該花桶３０は、図１１に示すように、横断面が略正方形の角状で有底の筒体であって、底部から上端に向けてテーパ状に漸次拡開する筒体３１を主体とする。当該筒体３１は、その上端が斜め下方に切断された状態を呈していて、その上端開口部は斜め下方に傾斜する開口部３１ａとなっている。また、筒体３１の下方の部位の四方の壁部には、互いに並列して上下方向に延びる多数のスリット状穴３１ｂが形成されている。当該花桶３０においては、筒体３１の上端開口部３１ａの外周の全周縁にわたる外向きフランジ状の傾斜面部３２を備えている。当該傾斜面部３２の左右の側縁部には、下方へ延びる下向きフランジ部３３を備えている。
【００４２】
当該花桶３０ａの傾斜面部３２は、上方へ膨出する円弧状で下降傾斜する形状を呈していて、上段の水槽２０ａ，２０ｂ内に収容されている花桶３０の傾斜面部３２の前端部側と、中段の水槽２０ａ，２０ｂ内に収容されている花桶３０の傾斜面部３２の後端部側が互いに嵌合した状態で連係し、また、中段の水槽２０ａ，２０ｂ内に収容されている花桶３０の傾斜面部３２の前端部側と、下段の水槽２０ａ，２０ｂ内に収容されている花桶３０の傾斜面部３２の後端部側が互いに嵌合した状態で連係する。このため、上段、中段および下段の各水槽２０ａ，２０ｂ内に収容されている各花桶３０の各傾斜面部３２同士は、複数の円弧状に盛り上った状態で下降傾斜する上下に一体の下降傾斜面を形成する（図１、図２および図５を参照）。
【００４３】
また、花桶３０の側部の下向きフランジ部３３は、各花桶３０が水槽２０内に並列して収容された状態では、互いに対向する側の下向きフランジ部３３同士は当接した状態で連係する。このため、左右の花桶３０同士は起立状態に保持されるとともに、両傾斜面３２同士は左右に一体の下降傾斜面を形成することになる。
【００４４】
このように構成された当該フラワーショーケースにおいては、図６に示すように、当該フラワーショーケースが活け水として採用している電解生成酸性水の水系回路を備えている。また、当該フラワーショーケースにおいては、上記した機械室に電解水生成装置４０が配設されている。当該電解水生成装置４０は、希薄食塩水を被電解水とする有隔膜式の電解水生成装置であって、有隔膜電解槽の陽極側電解室にて生成された電解生成酸性水を活け水として、水系回路を通して、各水槽２０（２０ａ，２０ｂ）に供給し、各水槽２０内で余剰となった活け水を排水し、各水槽２０内を所定量の活け水で満杯状態とすべく機能する。
【００４５】
当該電解水生成装置４０は、有隔膜電解槽４１ａを主体とする電解槽機構部４１と、被電解水を調製するための濃食塩水を貯留する濃塩水タンク４２を主体とする被電解水調整機構からなるもので、電解槽機構部４１は、有隔膜電解槽４１ａの各電解室に接続された被電解水供給管路４１ｂと、被電解水供給管路４１ｂの途中から分岐する濃塩水供給管路４１ｃと、濃塩水供給管路４１ｃの途中に介装された濃塩水供給ポンプ４１ｄを備えている。
【００４６】
当該電解槽機構部４１においては、被電解水供給管路４１ｂは被電解水を調製する原水である水道水の水源から延びる原水供給管路５１に接続されているとともに、有隔膜電解槽４１ａの陽極側電解室の下流側には給水管路５２が接続され、有隔膜電解槽４１ａの陰極室側には図示しない排水管路が接続されている。また、当該電解槽機構部４１の濃塩水供給管路４１ｃには、当該電解槽機構部４１とは別体である濃塩水タンク４２が接続されている。
【００４７】
当該電解水生成装置４０においては、その電解運転時には、濃塩水タンク４２から一定流量の濃食塩水が被電解水供給管路４１ｂに継続して供給され、継続して供給された濃食塩水は原水供給管路５１を通して供給される原水と混合して、所定濃度の希薄食塩水を調製する。被電解水供給管路４１ｂ内で調製された希薄食塩水は、被電解水として有隔膜電解槽４１ａの各電解室に供給されて有隔膜電解される。当該電解槽機構部４１においては、有隔膜電解槽４１ａの陽極側電解室にて電解生成酸性水が生成され、生成された電解生成酸性水は活け水として、電解生成酸性水の給水管路５２を通して、上段の各水槽２０ａ，２０ｂに継続して給水される。
【００４８】
なお、当該電解水生成装置４０の電解運転では、電解槽機構４１を構成する有隔膜電解槽４１ａの陰極側電解室にて電解生成アルカリ性水が生成されるが、当該電解生成アルカリ性水は活け水として不要であるため、陰極側電解室の下流側に接続してある図示しない排水管路を通して流出される。また、当該電解生成アルカリ性水は必要であれば、当該フラワーショーケースの各部位の洗浄水として利用される。
【００４９】
当該電解水生成装置４０の電解運転により、上段の各水槽２０ａ，２０ｂ内に継続して給水される電解生成酸性水は、各水槽２０ａ，２０ｂ内の右側の受水空間部２２ｂ2にて受水され、両収容空間部２２ａ2、２２ａ1を流動して、左側のオーバーフローパイプ２１の起立位置に至る。この間、継続して給水された電解生成酸性水は、各水槽２０ａ，２０ｂ内を満杯にし、継続して給水される余剰の電解生成酸性水は、オーバーフローパイプ２１を通して中段の各水槽２０ａ，２０ｂ内に給水される。この間、各水槽２０ａ，２０ｂ内に収容されている花桶３０には電解生成酸性水が侵入し、各花桶３０内も満杯状態となる。
【００５０】
同様に、中段の各水槽２０ａ，２０ｂ内に継続して給水された電解生成酸性水は、各水槽２０ａ，２０ｂ内の左側の受水空間部２２ｂ1にて受水され、両収容空間部２２ａ1、２２ａ2を流動して、右側のオーバーフローパイプ２１の起立位置に至る。この間、継続して給水された電解生成酸性水は、各水槽２０ａ，２０ｂ内、および、各花桶３０内を満杯にし、継続して給水される余剰の電解生成酸性水は、オーバーフローパイプ２１を通して下段の各水槽２０ａ，２０ｂ内に給水される。
【００５１】
中段の各水槽２０ａ，２０内から継続して給水される電解生成酸性水は、各水槽２０ａ，２０ｂ内の右側の受水空間部２２ｂ2にて受水され、両収容空間部２２ａ2、２２ａ1を流動して、左側のオーバーフローパイプ２１の起立位置に至る。この間、継続して給水された電解生成酸性水は、各水槽２０ａ，２０ｂ内、および、各花桶３０内を満杯にし、継続して給水される余剰の電解生成酸性水は、オーバーフローパイプ２１を通して排水管路５３に排水される。当該電解水生成装置４０は、例えばこの時点で、電解運転を停止して、多数の水槽２０ａ，２０ｂ内への給水を停止する。
【００５２】
当該フラワーショーケースにおいては、各水槽２０ａ，２０ｂ内には、図５に示すように花桶３０が収容されているが、各花桶３０は各水槽２０ａ，２０ｂ内の満杯状態にある電解生成酸性水によって満杯状態となっている。各花桶３０内には、切り花が適宜に挿入され、切り花は各花桶３０内に挿入された状態で展示に供さる。
【００５３】
しかして、本発明は、オプション仕様の活け水注出装置を主要部となすもので、当該活け水注出装置の一実施形態を図１２および図１３に示している。当該活け水注出管路６０は、電磁式の三方弁６１と、三方弁６１の流入ポートに接続された流入管路６２と、三方弁６１の流出ポートに接続された流出管路６３と、三方弁６１の吐出ポートに接続された注出管路６４を備えるとともに、三方弁６１を収容する収容ケース６５と、注出スイッチ６６を備えている。
【００５４】
収容ケース６５は、注出管路６４をその前側壁６５ａから貫通させて支持し、流入管路６２および流出管路６３をその後側壁６５ｂから貫通させて支持していて、前側壁６５ａから突出する注出管路６４の先端部を注出口部６４ａとしている。注出スイッチ６６は、収容ケース６５の前側壁６５ａに取付けられてその前面に露呈していて、前側壁６５ａの前面を操作パネル６５ｃに形成している。
【００５５】
当該活け水注出装置６０は、オプション仕様であることから、当該フラワーショーケースを設置した際に、当該フラワーショーケースに所望により取付けられる。当該フラワーショーケースに当該活け水注出装置６０を取付けるに際しては、当該フラワーショーケースの既存の給水管路５２を、図７に示す給水管路５２Ａと交換して、当該給水管路５２Ａに接続する。当該給水管路５２Ａは、給水管路５２を、三方弁６１に対する流入側となる流入管路５２ａと流出側となる流出管路５２ｂとの分割したもので、三方弁６１が有する流入管路６２を管継手を介して流入管路５２ａに接続し、かつ、三方弁６１が有する流流出路６３を管継手を介して流入管路５２ｂに接続する。その後、本実施形態では図１に示すように、収容ケース６５を当該フラワーショーケースのケース本体の右前面下部に、その操作パネル６５ｃが前面に露呈するように取付ける。これにより、当該活け水注出装置６０の取付けは終了する。
【００５６】
このように、当該活け水注出装置６０の取付けに、当該活け水注出装置６０の専用の給水管路５２Ａを使用する理由は、電磁式の三方弁６１等、流路切替弁が高価であって、予め、三方弁６１等をフラワーショーケースの給水管路５２に介装しておくことは、経済的に不利であることによる。このため、経済的不利を覚悟のうえであれば、図８に示すように、給水管路として、予め、給水管路５２の途中に三方弁５２ｃを介して注出管路５２ｄを接続してなる給水管路５２Ｃを採用する。この場合には、活け水注出装置としては、他の実施形態に係る活け水注出装置６０Ａを採用する。
【００５７】
当該活け水注出装置６０Ａは、実質的には、活け水注出装置６０を構成する三方弁６１、および、これに接続する流入管路６２、流出管路６３を除去したものであり、注出管路６４と、注出管路６４の両端部を貫通させて支持する支持ケース６５Ａと、支持ケース６５Ａの前側壁の取付けられた注出スイッチ６６を備えるものである。当該活け水注出装置６０Ａは、その注出管路６４を、フラワーショーケースの給水管路５２Ｂが有する注出管路５２ｄに接続し、その後、支持ケース６５Ａを当該フラワーショーケースのケース本体の右前面下部に取付けるようにする。
【００５８】
活け水注出装置として、当該活け水注出装置６０Ａを採用すれば、三方弁６１、流入管路６２、流出管路６３等を省略することができて、活け水注出装置６０Ａ自体安価となるとともに、当該活け水注出装置６０Ａの給水管路に対する接続作業を短時間で容易に行うことができる利点がある。
【００５９】
当該活け水注出装置６０を装備したフラワーショーケースの使用者は、注出スイッチ６６を押動操作するとともに電解運転を開始すれば、三方弁６１は流路切替動作して、三方弁６１が有する注出管路６４と給水管路５２ａとが連通するとともに、給水管路５２ａと流出管路５２ｂとの連通が遮断される。これにより、電解水生成装置４０にて生成される電解生成酸性水を、当該活け水注出装置６０の注出口部６４ａから、または、注出口部６４ａに接続した注出ホースを通して注出させることができる。注出スイッチ６６は、さらなる押動操作によって三方弁６１を流路切替動作させて、三方弁６１が有する注出管路６４と給水管路５２ａとの連通を遮断するとともに、給水管路５２ａと流出管路５２ｂとを連通させ、電解生成酸性水の注出口部６４ａからの注出を停止させる。
【００６０】
当該活け水注出装置６０においては、注出スイッチ６６の押動操作に連動して、電解水生成装置４０の電解運転を開始し、かつ、注出スイッチ６６のさらなる押動操作に連動して、電解水生成装置４０の電解運転を停止するように構成することができる。当該構成によれば、注出スイッチ６６の押動操作のみにて、電解生成酸性水の注出口部６４ａからの注出、および、注出停止を行うことができる利点がある。
【００６１】
当該活け水注出装置６０は、オプション仕様のものであって、本実施形態では、収容ケース６５を、フレーム構造体１０の下側枠部１１の前側部に取付けて、操作パネル６５ｃがフロントパネル１８ｃの下方にて右前面下部に露呈させているが、店舗のレイアウトを考慮して、当該フラワーショーケースのケース本体の左前面下部、右背面下部、左背面下部等、使用者の使い勝手のよい側に配設するようにすることができる。
【００６２】
このように、当該フラワーショーケースによれば、使用者は、操作パネル６５ｃ上の注出スイッチ６６を容易に操作することができて、所望により、電解生成酸性水を注出口部６４ａから容易に注出して、注出した電解生成酸性水を、フラワーショーケースとは別途の利用に提供し、また、切り花の購入者にサービスとして提供することができる。
【００６３】
なお、当該注出装置６０は常時使用するものではないことから、常態においては、注出口部６４ａをキャップ６４ｂにて覆蓋し、また、注出スイッチ６６を誤作動防止カバー６６ａにて覆蓋しておくことが好ましい。本実施形態で使用している誤作動防止カバー６６ａは、図１３（ｅ）に示すように、カバー本体６６ａ1の前側開口部を覆蓋する蓋体６６ａ2を備えるもので、注出スイッチ６６を操作する場合には、蓋体６６ａ2を上方へ持上げてカバー本体６６ａ1の前側開口部を開放し、注出スイッチ６６を当該前側開口部を通して操作するようになっている。
【００６４】
本発明に係るフラワーショーケースの実施形態では、オプション仕様の注出装置６０を配設した例を示しているが、本実施形態ではさらに幾つかの配慮がなされている。本実施形態でなされている第１の配慮は、サイドガラス１８ｂのフレーム構造体１０の側部への取付けを容易にし得る手段を設けていることである。本実施形態では、各サイドガラス１８ｂを、左右のサイドフレーム１５ａ，１５ｂに取付けられて各ベースフレーム１７を支持する各ブラケット１６ａ，１６ｂで受承し、かつ、各ブラケット１６ａ，１６ｂ上からの滑落ちを防止し、この状態で、各サイドガラス１８ｂをフレーム構造体１０の各側部に取付る手段を採っている。
【００６５】
具体的には、左右の各ブラット１６ａ，１６ｂは、特に、図３および図４に示すように、３段の受承面１６ａ１，１６ａ2，１６ａ3、１６ｂ１，１６ｂ2，１６ｂ3を有するように折曲げ形成されている。左右のブラケット６ａ，１６ｂは、互いに左右対象に形成されていて、各サイドフレーム１５ａ，１５ｂを取付けた各フレーム部１４ｄに、中間受承面１６ａ2，１６2を受承された状態で、各フレーム部１４ｄに取付けられている。当該取付け状態では、下方受承面１６ａ1，１６ｂ1は、中間受承面１６ａ2，１６2の下方にて水平状態を呈していて、各ベースフレーム１７を受承して支持すべく機能する。
【００６６】
また、当該取付状態では、上方受承面１６ａ3，１６ｂ3は、各サイドフレーム１５ａ，１５ｂが有するスリット状の穴１５ａ1，１５ｂ1を貫通して、各サイドフレーム１５ａ，１５ｂの外面側に所定長さ突出していて、サイドガラス１８ｂを受承する受承面として機能する。一方、各サイドフレーム１５ａ，１５ｂの先端部には、サイドフレーム１５ａ，１５ｂの外面側に所定長さ突出する細幅の細壁部１５ａ2，１５ｂ2が起立状に設けられている。細壁部１５ａ2，１５ｂ2は、中間受承面１６ａ2，１６2にて受承された状態のサイドガラス１８ｂを滑り止めるストッパ機能を有している。
【００６７】
かかる構成のフレーム構造体１０の側部にサイドガラス１８ｂを取付けるには、サイドガラス１８ｂを左側のサイドフレーム１５ａに取付けてある各ブラケット１６ａの上方受承面１６ａ3に受承し、その先端部を細壁部１５ａ2に当接して滑り止めをする。これにより、サイドガラス１８ｂは、フレーム構造体１０の左側部に対して位置決めされ、安定された状態で、フレーム構造体１０の左側部に容易に取付けることができる。
【００６８】
同様に、サイドガラス１８ｂをフレーム構造体１０の右側部に取付けるには、サイドガラス１８ｂを、右側のサイドフレーム１５ｂに取付けてある各ブラケット１６ｂの上方受承面１６ｂ3に受承し、その先端部を細壁部１５ｂ2に当接して滑り止めをする。これにより、サイドガラス１８ｂは、フレーム構造体１０の右側部に対して位置決めされ、安定された状態で、フレーム構造体１０の右側部に容易に取付けることができる。
【００６９】
本実施形態では、図５に示すように、当該フラワーショーケースの天井に蛍光灯を光源とする照明器具７０を配設して、展示されている切り花を照明するようにしている。特に、当該照明器具７０では、色温度が３，５００Ｋ〜４，５００Ｋの範囲の白色光の蛍光灯を採用して、切り花を真の色に近くて適度な暖かみのある色に見えるようにしている。
【００７０】
本実施形態でなされている第２の配慮は、当該照明器具７０にあり、特に、照明器具７０を構成する蛍光灯の交換作業を容易にすることにある。
【００７１】
当該照明器具７０は、フレーム構造体１０を構成する天板１４ｂの内側に配設されているもので、各蛍光灯７１を収容するケース７２を、天板１４ｂの先端部を屈曲して形成された先端側の内向フランジ部１４ｂ1と、フレーム構造体１０を構成する後側柱状枠部１２の上方の部位に組付けられて前方へ斜め上方に傾斜する背面板１４ｃの先端側の外向フランジ部１４ｃ1とに取付けることにより、天板１４ｂの下側に配設されている。
【００７２】
当該照明器具７０のケース７２は、図１４に示すように、断面略方形で下方に開口する長尺のケース本体７２ａと、ケース本体７２ａの開口部を覆蓋する所定幅で長尺の平板状のケースカバー７２ｂと、ケースカバー７２ｂの後端部を受承する断面Ｌ字状で長尺のカバーブラケット７３とにより構成されている。ケース本体７２ａは、その先端部７２ａ1を天板１４ｂの先端側の内向フランジ部１４ｂ1に載置し、かつ、その後端側の外フランジ部７２ａ2を背面板１４ｃの外向フランジ部１４ｃ1に、カバーブラケット７３の後端側の外向フランジ部７３ａを介して載置した状態で、固定用ネジ７４によって、カバーブラケット７３と背面板１４ｃの外向フランジ部１４ｃ1に取付けられている。
【００７３】
しかして、当該取付構造において、カバーブラケット７３の外向フランジ部７３ａには、前後方向に延びるスリット状の貫通穴７３ｂが形成されていて、固定用ネジ７４は、ケース本体７２ａを背面板１４ｃの外向フランジ部１４ｃ1に取付けられた状態では、カバーブラケット７３の貫通穴７３ｂを貫通した状態にある。図１４（ａ），（ｂ）は、この状態を示しており、ケース本体７２ａは各蛍光灯７１を収容した状態で、ケースカバー７２ｂにて覆蓋されている。
【００７４】
このため、蛍光灯７１を交換するには、ケース本体７２ａからケースカバー７２ｂを取外す必要があり、ケースカバー７２ｂをケース本体７２ａから取外すには、図１４（ｂ）に示すように、カバーブラケット７３を後方へ押出すようにする。これにより、ケースカバー７２ｂの後端部がカバーブラケット７３から外れて、ケース本体７２ａの開口部を開放することができる。また、蛍光灯７１を交換した後は、ケースカバー７２ｂをケース本体７２ａに取付けて、ケース本体７２ａの開口部を覆蓋する。
【００７５】
ケース本体７２ａの開口部をケースカバー７２ｂにて覆蓋するには、ケースカバー７２ｂの先端部を天板１４ｂの先端側の内向フランジ部１４ｂ1上に押込むとともにケースカバー７２ｂの後端部を上方に持ち上げ、その後、後方に位置するカバーブラケット７３を前方へ押出して、カバーブラケット７３の先端部にて、ケースカバー７２ｂの後端部を受承する。これにより、ケースカバー７３はケース本体７２ａの開口部を覆蓋する。
【００７６】
本実施形態では、蛍光灯仕様の照明器具７０を装備していることから、フレーム構造体を構成するフレームに蛍光灯安定器が取付けられている。本実施形態でなされている第３の配慮は、フレームに取付けられている蛍光灯安定器から発生する熱の放熱性を高めるとともに、蛍光灯安定器の取付けの作業性を向上させることにある。
【００７７】
本実施形態では、図１５に示すように、各蛍光灯安定器７５を縦向きの状態で、取付フレーム１４ｅの前面の下方の部位に取付け、このように蛍光灯安定器７５を取付けた当該取付フレーム１４ｅを、フレーム構造体１０の後側柱状枠部１２の上端部の近傍に左右のブラケットを介して取付けて、上方の部位に取付けられる背面板１４ｃの背部に位置するようにしている。
【００７８】
蛍光灯安定器７５の当該取付構造によれば、各蛍光灯安定器７５を縦向きに、かつ、取付フレーム１４ｅの下方の部位に取付けているので、各蛍光灯安定器７５から発生する熱を、取付フレーム１４ｅのフレーム上部に伝達して放熱性を高めることができ、また、各蛍光灯安定器７５を取付フレーム１４ｅに予め取付けているので、フレーム構造体１０に対する蛍光灯安定器７５の取付け作業性を向上させることができる。さらには、取付フレーム１４ｅをフレーム構造体１０の後側柱状枠部１２に取付けているので、当該フラワーショーケースの製品強度を高めることができる。
【００７９】
本実施形態でなされている第４の配慮は、当該フラワーショーケースのケース本体の下方空間部である機械室の前面側を覆蓋するフロントパネル１８ｃを下方へ略９０度回動可能として、フロントパネル１８ｃを開放した状態では略水平状態に保持し得るようにし、フロントパネル１８ｃを上方へ回動復帰した状態では起立状態を保持し得るようにすることにある。
【００８０】
本実施形態では、図１６に示すように、フロントパネル１８ｃの左右の下端部を、フレーム構造体１０の前側フレームの左右の下端部に、略９０度開閉可能なヒンジ１５ｃを介して連結している。また、フロントパネル１８ｃ側には、金属製のフック１９を上下方向へ揺動可能に取付けて下方へバネ付勢し、一方、フレーム構造体１０の前側フレームには、フック１９を受入れ可能なスリット１５ｄ1を有する金属性の係止用フレーム１５ｄを立設し、さらには、フック１９の先端面を特殊形状のカム面１９ａに形成している。
【００８１】
これにより、開放されているフロントパネル１８ｃを上方へ回動して閉鎖する場合には、フック１９はスリット１５ｄ1の下端縁部を摺動しつつ上方へ漸次揺動されて、スリット１５ｄ1内に受入れられ、最後に、フック１９の下面側にてスリット１５ｄ1の下端縁部に弾撥的に係止される。これにより、フロントパネル１８ｃは、起立状態に保持されて閉鎖状態を保持する。
【００８２】
一方、閉鎖状態にあるフロントパネル１８ｃを下方へ回動して開放する場合には、フック１８ｃ1は弾撥的に係止状態にあるスリット１５ｄ1の下端縁部に対する係止状態を解かれ、スリット１５ｄ1の下端縁部を摺動しつつ回動し、略９０度回動した時点で回動を規制されて、略水平状態に保持される。
【００８３】
本実施形態でなされている第５の配慮は、当該フラワーショーケースを構成する水槽２０にある。
【００８４】
各水槽２０は、フレーム構造体１０の各ベースフレーム１７（１７ａ〜１７ｃ）に図５に示すように配置されるが、先ず水槽２０を下段のベースフレーム１７ｃ上に配置し、次いで、水槽２０を中段のベースフレーム１７ｂ上に配置し、最後に各水槽２０を上段のベースフレーム１７ａ上に配置する。この場合、、水槽２０を中段のベースフレーム１７ｂ上に配置するには、配置すべき水槽２０の前側壁２２ｄの下端部２２ｄ1を、下段の水槽２０の後端壁２２ｅの上端部２２ｅ1に重合した状態で、中段のベースフレーム１７ｂ上に載置し、水槽２０を上段のベースフレーム１７ａ上に配置するには、配置すべき水槽２０の前側壁２２ｄの下端部２２ｄ1を、中段の水槽２０の後側壁２２ｅの上端部２２ｅ1に重合した状態で、上段のベースフレーム１７ａ上に載置する。
【００８５】
このように、各水槽２０を重合した状態で載置することは、すでに詳述しているところであるが、このような重合状態では、上段側の水槽２０の前側壁２２ｄの下端部２２ｄ1と、下段側の水槽２０の後側壁２２ｅの上端部２２ｅ1との間には、必然的に隙間が存在することとなる。このため、当該フラワーショーケースのサニテーション時には、例えば、ホースから洗浄水を噴出させる場合には、噴出する洗浄水が当該隙間を通してケース本体の機械室に侵入し、漏電や部品の損傷等を惹起するおそれがある。本実施形態では、これに対処する手段を水槽２０に施している。
【００８６】
具体的には、図９および図１０に示すように、水槽２０の前側壁２２ｄの下端部２２ｄ1を、前方へ滑らかに反って延びるスカート状に形成して、上下の水槽２０を互いに重合した場合には、図１７に示すように、上段側の水槽２０の前側壁２２ｄの下端部２２ｄ1が下段側の水槽２０の後側壁２２ｅの上端部２２ｅ1の上面に当接してわずかに前方へ延びる構成としている。
【００８７】
このため、当該フラワーショーケースのサニテーション時にホースから噴射する洗浄水は、隙間を閉鎖している前側壁２２ｄの下端部２２ｄ1にて機械室への侵入が阻止される。この結果、当該隙間を通して機械室に侵入する洗浄水に起因する不具合は解消される。例えば、機械室内での漏電や、部品の損傷等が惹起するおそれはない。
【符号の説明】
【００８８】
１０…フレーム構造体、１１…下側枠部、１２…後側柱状枠部、１２ａ，１２ｂ…支柱部、１３…前側柱状枠部、１３ａ，１３ｂ…支柱部、１４ａ…連結フレーム、１４ｂ…天板、１４ｂ1…内向フランジ部、１４ｃ…背面板、１４ｃ1…外向フランジ部、１４ｄ…フレーム部、１４ｅ…取付フレーム、１５ａ，１５ｂ…サイドフレーム、１５ａ1，１５ｂ1…スリット状の穴、１５ａ2，１５ｂ2…細壁部、１５ｃ…ヒンジ、１５ｄ…係止用フレーム、１５ｄ1…スリット、１６（１６ａ，１６ｂ）…ブラケット、１６ａ１，１６ａ2，１６ａ3…受承面、１６ｂ１，１６ｂ2，１６ｂ3…受承面、１７（１７ａ〜１７ｃ）…ベースフレーム、１８ａ…サイドパネル、１８ｂ…サイドガラス、１８ｃ…フロントパネル、１９…フック、１９ａ…カム面、２０（２０ａ，２０ｂ）…水槽、２１…オーバーフローパイプ、２２…函体、２２ａ1，１８ｃ1…フック、２２ａ2…収容空間部、２２ｂ1，２２ｂ2…受水空間部、２２ｃ1，２２ｃ2…取付孔部、２２ｄ…前側壁、２２ｄ1…下端部、２２ｅ…後側壁、２２ｅ1…上端部、３０…花桶、３１…筒体、３１ａ…開口部、３１ｂ…スリット状穴、３２…傾斜面部、３３…下向きフランジ部、４０…電解水生成装置、４１…電解槽機構部、４１ａ…有隔膜電解槽、４１ｂ…被電解水供給管路、４１ｃ…濃塩水供給管路、４１ｄ…濃塩水供給ポンプ、４２…濃塩水タンク、５１…原水供給管路、５２，５２Ａ，５２Ｂ…給水管路、５２ａ…流入管路、５２ｂ…流出管路、５２ｃ…三方弁、５２ｄ…注出管路、５３…排水管路、６０，６０Ａ…活け水注出装置、６１…三方弁、６２…流入管路、６３…流出管路、６４…注出管路、６４ａ…注出口部、６４ｂ…キャップ、６５…収容ケース、６５Ａ…支持ケース、６５ａ…前側壁、６５ｂ…後側壁、６５ｃ…操作パネル、６６…注出スイッチ、６６ａ…誤作動防止カバー、６６ａ1…カバー本体、６６ａ2…蓋体、７０…照明器具、７１…蛍光灯、７２…ケース、７２ａ…ケース本体、７２ａ1…先端部、７２ａ2…外フランジ部、７２ｂ…ケースカバー、７３…カバーブラケット、７３ａ…外向フランジ部、７３ｂ…貫通穴、７４…固定用ネジ、７５…蛍光灯安定器。
【図１】
2013172906.tif 000003
【図２】
2013172906.tif 000004
【図３】
2013172906.tif 000005
【図４】
2013172906.tif 000006
【図５】
2013172906.tif 000007
【図６】
2013172906.tif 000008
【図７】
2013172906.tif 000009
【図８】
2013172906.tif 000010
【図９】
2013172906.tif 000011
【図１０】
2013172906.tif 000012
【図１１】
2013172906.tif 000013
【図１２】
2013172906.tif 000014
【図１３】
2013172906.tif 000015
【図１４】
2013172906.tif 000016
【図１５】
2013172906.tif 000017
【図１６】
2013172906.tif 000018
【図１７】
2013172906.tif 000019